(57)【要約】【課題】十字状のスペーサ型介在を不要とし、また、ケーブルが幅方向（横方向）に曲げられた場合であっても、対撚線が山越えを起こすことのない通信ケーブルを提供する。【解決手段】平面状に並列配置した複数本の対撚線１１ａ，１１ｂ，１１ｃ，１１ｄのうち隣接する2本の対撚線１１ａ，１１ｂ（１１ｃ，１１ｄ）を１ユニットとし、各ユニット１２，１３間にシース１４と一体化した仕切り壁１５を設けてユニット同士を離間させるとともに、各ユニット１２，１３を構成する2本の対撚線１１ａ，１１ｂ（１１ｃ，１１ｄ）の撚ピッチを異ならせる。【選択図】      図１
2004192951.tif 000002
【特許請求の範囲】
【請求項１】
複数本の対撚線を平面状に並列配置し、その外周にシースを被覆した通信ケーブルであって、前記複数本の対撚線のうち隣接する2本の対撚線を１ユニットとし、前記ユニット間に前記シースと一体化した仕切り壁を設けて前記ユニット同士を離間させるとともに、前記各ユニットを構成する2本の対撚線の撚ピッチを異ならせたことを特徴とする通信ケーブル。 
【請求項２】
前記シースの表面の長さ方向に、前記仕切り壁を介して前記ユニットの一方が他方のユニット側へ折り曲げ可能となる溝を設けたことを特徴とする請求項１記載の通信ケーブル。
【請求項３】
撚ピッチが異なる2本の対撚線を平面状に並列配置し、その外周にシースを被覆した複数のユニットを幅方向に配置し、前記複数のユニット間の対向部に前記シースと一体化した連結部を設けて前記ユニット同士を連結したことを特徴とする通信ケーブル。
【請求項４】
撚ピッチが異なる2本の対撚線を平面状に並列配置し、その外周にシースを被覆した複数のユニットを上下方向に配置し、前記複数のユニット間の対向部に前記シースと一体化した連結部を設けて前記ユニット同士を連結したことを特徴とする通信ケーブル。
【請求項５】
撚ピッチが異なる2本の対撚線を平面状に並列配置し、その外周にシースを被覆した複数のユニットを幅方向に配置し、前記複数のユニット間の対向部を接着して前記ユニット同士を連結したことを特徴とする通信ケーブル。
【請求項６】
撚ピッチが異なる2本の対撚線を平面状に並列配置し、その外周にシースを被覆した複数のユニットを上下方向に配置し、前記複数のユニット間の対向部を接着して前記ユニット同士を連結したことを特徴とする通信ケーブル。
【請求項７】
前記ユニットを構成する前記2本の対撚線を相互に離間させる、前記シースと一体化した突起を設けたことを特徴とする請求項１乃至６のいずれか１項記載の通信ケーブル。
【発明の詳細な説明】
【０００１】
【発明の属する技術分野】
本発明は、高速ＬＡＮ用ケーブルとして好適な通信ケーブルに関する。
【０００２】
【従来の技術】
従来より、無遮蔽型の高速ＬＡＮ用ケーブルとして、図９に示すものが実用化されており、また、図１０に示すものが検討されている。
【０００３】
図９に示す第１のタイプの高速ＬＡＮ用ケーブル９０では、十字状のスペーサ型介在９１を中心に備え、このスペーサ型介在９１の各隔壁９１ａ，９１ａ，…間には、互いに撚ピッチの異なる対撚線９２ａ，９２ｂ，９２ｃ，９２ｄが配置され、さらに、その外方にシース９３が被覆されており、スペーサ型介在９１により、各対撚線９２ａ，９２ｂ，９２ｃ，９２ｄが所定の位置に保持され、各対撚線間に所定の対間距離が確保されることで、対間クロストーク等の発生を防止している（例えば、特許文献１参照。）。
【０００４】
図１０に示す第２のタイプの高速ＬＡＮ用ケーブル１００では、互いに撚ピッチの異なる対撚線１０１ａ，１０１ｂ，１０１ｃ，１０１ｄが平面状に並列配置され、その外方にシース１０２が被覆されており、撚ピッチの差が小さく対間クロストークの発生するおそれのある撚線１０１ａ，１０１ｄを両サイドに配置し、相互に離間させることで、対間クロストークの発生を防止している。
【０００５】
【特許文献１】
特開平１１−５３９５８号公報
【０００６】
【発明が解決しようとする課題】
ところが、上述した第１のタイプの高速ＬＡＮ用ケーブルでは、中心に十字状のスペーサ型介在が配置されるため、各対撚線間の対間距離の確保が容易で、安定した電気的特性のケーブルが得られるものの、十字状のスペーサ型介在の影響で、ケーブルの曲げ剛性が高く、ケーブル布設の作業性の面等で難点があった。また、十字状のスペーサ型介在を有するために、ケーブル端末でのコネクタ付けの際にかかる介在の除去が必要となり、さらに、製造工程数が増える、ケーブルコストが高くなるといった難点があった。
【０００７】
一方、上述した第２のタイプの高速ＬＡＮ用ケーブルでは、スペーサ型介在を必要としないため、ケーブルの曲げ剛性、ケーブル端末でのコネクタ付けの作業性、製造工程数の増大およびケーブルコストの点では、第1のタイプの高速ＬＡＮ用ケーブルに比して有利であるが、図１１の斜視図に示すように、ケーブルが幅方向（横方向）に曲げられた場合、各対撚線の曲げ半径が異なるため、図１２の断面図に示すように、特に曲げ半径が大きい側の対撚線１０１ｄが山越えを起こして、撚ピッチ差の小さい対撚線１０１ａに接近し、両対撚線１０１ａ，１０１ｄ間で対間クロストークが発生するおそれがあるといった難点があった。
【０００８】
そこで、本発明は、上述した問題点を解決するためになされたものであり、十字状のスペーサ型介在を不要とし、かつ、ケーブルが幅方向（横方向）に曲げられた場合であっても、対撚線が山越えを起こすことのない通信ケーブルを提供することを目的とする。
【０００９】
【課題を解決するための手段】
本発明は、上記課題を解決するためになされたものであり、請求項１の発明の通信ケーブルは、複数本の対撚線を平面状に並列配置し、その外周にシースを被覆した通信ケーブルであって、前記複数本の対撚線のうち隣接する2本の対撚線を１ユニットとし、前記ユニット間に前記シースと一体化した仕切り壁を設けて前記ユニット同士を離間させるとともに、前記各ユニットを構成する2本の対撚線の撚ピッチを異ならせたことを特徴とする。
【００１０】
また、請求項２の発明の通信ケーブルは、請求項１の発明の通信ケーブルにおいて、前記シースの表面の長さ方向に、前記仕切り壁を介して前記ユニットの一方が他方のユニット側へ折り曲げ可能となる溝を設けたことを特徴とする。
【００１１】
また、請求項３の発明の通信ケーブルは、撚ピッチが異なる2本の対撚線を平面状に並列配置し、その外周にシースを被覆した複数のユニットを幅方向に配置し、前記複数のユニット間の対向部に前記シースと一体化した連結部を設けて前記ユニット同士を連結したことを特徴とする。
【００１２】
また、請求項４の発明の通信ケーブルは、撚ピッチが異なる2本の対撚線を平面状に並列配置し、その外周にシースを被覆した複数のユニットを上下方向に配置し、前記複数のユニット間の対向部に前記シースと一体化した連結部を設けて前記ユニット同士を連結したことを特徴とする。
【００１３】
また、請求項５の発明の通信ケーブルは、撚ピッチが異なる2本の対撚線を平面状に並列配置し、その外周にシースを被覆した複数のユニットを幅方向に配置し、前記複数のユニット間の対向部を接着して前記ユニット同士を連結したことを特徴とする。
【００１４】
さらに、請求項６の発明の通信ケーブルは、撚ピッチが異なる2本の対撚線を平面状に並列配置し、その外周にシースを被覆した複数のユニットを上下方向に配置し、前記複数のユニット間の対向部を接着して前記ユニット同士を連結したことを特徴とする。
【００１５】
そして、請求項７の発明の通信ケーブルは、請求項１乃至６のいずれか１項記載の通信ケーブルにおいて、前記ユニットを構成する前記2本の対撚線を相互に離間させる、前記シースと一体化した突起を設けたことを特徴とする。
【００１６】
請求項１に記載の通信ケーブルにおいては、対間クロストークの発生するおそれのある撚ピッチ差の対撚線同士を別ユニットとし、これらのユニット間に仕切り壁を設けて離間させているので、ケーブルが幅方向（横方向）に曲げられた場合であっても、従来のように山越えを起こして接近することがなく、対間クロストークの発生を防止することができる。また、従来必要とされた十字状のスペーサ型介在が不要となるため、ケーブルの曲げ剛性は低く、ケーブル布設の作業性は良好であり、また、ケーブル端末でのコネクタ付けの際のかかる介在の除去も不要となる。さらに、製造工程が簡素化され、ケーブルコストも低下させることができる。
【００１７】
請求項２に記載の通信ケーブルにおいては、一方のユニットを他方のユニット側へ折り曲げて2つのユニットを容易に重ねることができるため、従来の丸型タイプの通信ケーブルと同一のコネクタを取り付けることができる。
【００１８】
請求項３乃至６の通信ケーブルにおいては、対間クロストークの発生するおそれのある撚ピッチ差の対撚線同士を別ユニットとし、これらのユニットをそれぞれ独立したシースで被覆して離間させているので、ケーブルが幅方向（横方向）に曲げられた場合であっても、従来のように山越えを起こして接近することがなく、対間クロストークの発生を防止することができる。また、従来必要とされた十字状のスペーサ型介在が不要となるため、ケーブルの曲げ剛性は低く、ケーブル布設の作業性は良好であり、また、ケーブル端末でのコネクタ付けの際のかかる介在の除去も不要となる。さらに、製造工程が簡素化され、ケーブルコストも低下させることができる。
【００１９】
特に、請求項３に記載の通信ケーブルにおいては、一方のユニットを他方のユニット側へ折り曲げて2つのユニットを容易に重ねることができるため、従来の丸型タイプの通信ケーブルと同一のコネクタを取り付けることができる。
【００２０】
また、請求項４および６に記載の通信ケーブルにおいては、一方のユニットと他方のユニットが重なりあっているため、従来の丸型タイプの通信ケーブルと同一のコネクタを取り付けることができる。
【００２１】
請求項７に記載の通信ケーブルにおいては、各ユニットを構成する2本の対撚線間を所定の間隔に保つことができ、これらの撚ピッチ差が小さくなっても、対間クロストークの発生を防止することができる。
【００２２】
【発明の実施の形態】
以下、本発明の実施の形態について添付図面を用いて説明する。
【００２３】
図１は、本発明の第１の実施の形態に係る通信ケーブルを示す断面図である。図１に示すように、本実施形態の通信ケーブル１０は、平面状に並列配置された撚りピッチの異なる4本の対撚線１１ａ，１１ｂ，１１ｃ，１１ｄを備えており、隣接する2本の対撚線１１ａ，１１ｂで第１のユニット１２が構成され、また、隣接する別の2本の対撚線１１ｃ，１１ｄで第２のユニット１３が構成されている。
【００２４】
また、並列配置された4本の対撚線１１ａ，１１ｂ，１１ｃ，１１ｄは、ポリエチレン等のプラスチックからなるシース１４で一括被覆されており、第１のユニット１２と第２のユニット１３との間には、シース１４と一体化された仕切り壁１５が長さ方向に連続して設けられており、この仕切り壁１５で第１のユニット１２と第２のユニット１３とがそれぞれ独立した空間１６，１７内に収容された構成となっている。
【００２５】
さらに、同一ユニットを構成する2本の対撚線１１ａ，１１ｂ（１１ｃ，１１ｄ）の撚ピッチは、対撚線同士が近接しても対間クロストークの発生しない撚ピッチ差に選定されており、近接した場合に対間クロストークの発生するおそれのある対撚線同士は、別ユニットとされて、別々の空間に収容されている。
【００２６】
このように構成される通信ケーブル１０においては、近接した場合に対間クロストークの発生するおそれのある対撚線同士は、別ユニットとされて、仕切り壁に仕切られた別々の空間に収容されているので、ケーブル１０が幅方向（横方向）に曲げられた場合であっても、近接した場合に対間クロストークの発生するおそれのある対撚線が山越えを起こして接近することがなく、対間クロストークの発生を防止することができる。また、従来必要とされた十字状のスペーサ型介在が不要となるため、ケーブルの曲げ剛性が低く、ケーブル布設の作業性が良好となり、ケーブル端末でのコネクタ付けの際のかかる介在の除去も不要となる。さらに、製造工程を簡素化することができるとともに、ケーブルコストも低下させることができる。
【００２７】
なお、この実施の形態では、4本の対撚線１１ａ，１１ｂ，１１ｃ，１１ｄの撚りピッチがすべて異なるものを例示したが、両サイドに配置される対撚線１１ａ，１１ｄを対間クロストークの発生のおそれがない距離だけ離間させることが可能であれば、これらの対撚線１１ａ，１１ｄは同一撚りピッチとしてもよい。
【００２８】
図２は、本発明の第２の実施の形態に係る通信ケーブルを示す断面図であり、図２において、図１と同一の構成には同一の符号を付してその説明を省略する。
【００２９】
図２に示すように、本実施形態の通信ケーブル２０においては、第１のユニット１２を構成する2本の対撚線１１ａ，１１ｂ間および第２のユニット１３を構成する2本の対撚線１１ｃ，１１ｄ間に、それぞれシース１４と一体化された仕切り用の突起２１，２１，…が対向して長さ方向に連続して設けられており、この突起２１，２１，…によって、各ユニット１２（１３）を構成する2本の対撚線１１ａ，１１ｂ（１１ｃ，１１ｄ）間が所定の間隔に保たれている。
【００３０】
このように構成される通信ケーブル２０においては、前述した第１の実施の形態における効果に加え、同一ユニットを構成する対撚線１１ａ，１１ｂ（１１ｃ，１１ｄ）間の間隔が保たれるため、これらの撚ピッチ差が小さくなっても、対間クロストークの発生を防止することができる。
【００３１】
図３は、本発明の第３の実施の形態に係る通信ケーブルを示す断面図であり、図３において、図１と同一の構成には同一の符号を付してその説明を省略する。
【００３２】
図３に示すように、本実施形態の通信ケーブル３０においては、仕切り壁１５の上端側および下端側のシース１４の表面に、仕切り壁１５を介して一方のユニット１２（１３）を他方のユニット１３（１２）側へ折り曲げて2つのユニット１２，１３を重ねるための溝３１が長さ方向に設けられている。
【００３３】
このように構成される通信ケーブル３０においては、前述した第１の実施の形態における効果に加え、一方のユニット１２（１３）を他方のユニット１３（１２）側へ折り曲げて2つのユニット１２，１３を容易に重ねることができ、その結果、4本の対撚線１１ａ，１１ｂ，１１ｃ，１１ｄが従来の丸型タイプの通信ケーブルに近似した配置構造をとることになるため、従来の丸型タイプの通信ケーブルと同一のコネクタを取り付けることができる。
【００３４】
図４は、本発明の第４の実施の形態に係る通信ケーブルを示す断面図であり、図４において、図２と同一の構成には同一の符号を付してその説明を省略する。
【００３５】
図４に示すように、本実施形態の通信ケーブル４０においては、仕切り壁１５の上端側および下端側のシース１４の表面に、仕切り壁１５を介して一方のユニット１２（１３）を他方のユニット１３（１２）側へ折り曲げて2つのユニット１２，１３を重ねるための溝３１が長さ方向に設けられている。
【００３６】
このように構成される通信ケーブル４０においては、前述した第２の実施の形態における効果に加え、一方のユニット１２（１３）を他方のユニット１３（１２）側へ折り曲げて2つのユニット１２，１３を容易に重ねることができ、その結果、4本の対撚線１１ａ，１１ｂ，１１ｃ，１１ｄが従来の丸型タイプの通信ケーブルに近似した配置構造をとることになるため、従来の丸型タイプの通信ケーブルと同一のコネクタを取り付けることができる。
【００３７】
図５は、本発明の第５の実施の形態に係る通信ケーブルを示す断面図であり、図５において、図２と同一の構成には同一の符号を付してその説明を省略する。
【００３８】
図５に示すように、本実施形態の通信ケーブル５０においては、並列配置された4本の対撚線１１ａ，１１ｂ，１１ｃ，１１ｄのうち、第１のユニット１２を構成する2本の対撚線１１ａ，１１ｂがポリエチレン等のプラスチックからなるシース５１で被覆されて空間１６内に収容され、また、第２のユニット１３を構成する2本の対撚線１１ｃ，１１ｄも同様にポリエチレン等のプラスチックからなるシース５２で被覆されて空間１７内に収容されており、第１のユニット１２と第２のユニット１３とが幅（横）方向に配置されている。
【００３９】
そして、シース５１とシース５２とは、その対向部にシース５１（５２）と一体的に形成された連結部５３で連結されている。
【００４０】
このように構成される通信ケーブル５０においては、近接した場合に対間クロストークの発生するおそれのある対撚線同士は、別ユニットとされて、それぞれ独立したシース５１，５２で被覆されているので、ケーブル５０が幅方向（横方向）に曲げられた場合であっても、近接した場合に対間クロストークの発生するおそれのある対撚線が山越えを起こして接近することがなく、対間クロストークの発生を防止することができる。また、従来必要とされた十字状のスペーサ型介在が不要となるため、ケーブルの曲げ剛性が低く、ケーブル布設の作業性が良好となり、ケーブル端末でのコネクタ付けの際のかかる介在の除去も不要となる。さらに、製造工程を簡素化することができるとともに、ケーブルコストも低下させることができる。
【００４１】
また、一方のユニット１２（１３）を他方のユニット１３（１２）側へ折り曲げて2つのユニット１２，１３を容易に重ねることができ、その結果、4本の対撚線１１ａ，１１ｂ，１１ｃ，１１ｄが従来の丸型タイプの通信ケーブルに近似した配置構造をとることになるため、従来の丸型タイプの通信ケーブルと同一のコネクタを取り付けることができる。
【００４２】
さらに、突起２１，２１，…によって、同一ユニットを構成する対撚線１１ａ，１１ｂ（１１ｃ，１１ｄ）間の間隔が保たれるため、これらの撚ピッチ差が小さくなっても、対間クロストークの発生を防止することができる。
【００４３】
なお、この実施の形態においても、両サイドに配置される対撚線１１ａ，１１ｄを対間クロストークの発生のおそれがない距離だけ離間させることが可能であれば、これらの対撚線１１ａ，１１ｄは同一撚りピッチとしてもよい。
【００４４】
図６は、本発明の第６の実施の形態に係る通信ケーブルを示す断面図であり、図６において、図５と同一の構成には同一の符号を付してその説明を省略する。
【００４５】
図６に示すように、本実施形態の通信ケーブル６０においては、第１のユニット１２を構成する2本の対撚線１１ａ，１１ｂがポリエチレン等のプラスチックからなるシース５１で被覆されて空間１６内に収容され、また、第２のユニット１３を構成する2本の対撚線１１ｃ，１１ｄもポリエチレン等のプラスチックからなるシース５２で被覆されて空間１７内に収容されており、第１のユニット１２と第２のユニット１３とが上下方向に配置されている。
【００４６】
そして、シース５１とシース５２とは、その対向部にシース５１（５２）と一体的に形成された連結部６１で連結されている。
【００４７】
このように構成される通信ケーブル６０においては、前述した第５の実施の形態と同様、対間クロストークの発生を防止することができるとともに、従来必要とされた十字状のスペーサ型介在が不要であり、さらに、突起２１，２１，…により同一ユニットを構成する対撚線１１ａ，１１ｂ（１１ｃ，１１ｄ）間の間隔が保たれるため、これらの撚ピッチ差が小さくなっても、対間クロストークの発生を防止することができる。そのうえ、一方のユニット１２（１３）と他方のユニット１３（１２）が重なりあっており、4本の対撚線１１ａ，１１ｂ，１１ｃ，１１ｄが従来の丸型タイプの通信ケーブルに近似した配置構造をとるため、第５の実施形態に係る通信ケーブルのように折り曲げたりせずともそのままで従来の丸型タイプの通信ケーブルと同一のコネクタを取り付けることができる。
【００４８】
なお、第５および第６の実施の形態において、突起２１，２１，…は、必ずしも必須の構成ではなく、適宜省略できるものである。
【００４９】
図７は、本発明の第７の実施の形態に係る通信ケーブルを示す断面図であり、図７において、図５と同一の構成には同一の符号を付してその説明を省略する。
【００５０】
図７に示すように、本実施形態の通信ケーブル７０においては、第１のユニット１２と第２のユニット１３とが幅（横）方向に配置され、シース５１とシース５２とは、その対向部同士が接着剤あるいは融着等によって接着されて一体化されている。図中、７１は、そのような接着部を示す。
【００５１】
このように構成される通信ケーブル７０においては、近接した場合に対間クロストークの発生するおそれのある対撚線同士は、別ユニットとされて、それぞれ独立したシース５１，５２で被覆されているので、ケーブル５０が幅方向（横方向）に曲げられた場合であっても、近接した場合に対間クロストークの発生するおそれのある対撚線が山越えを起こして接近することがなく、対間クロストークの発生を防止することができる。また、従来必要とされた十字状のスペーサ型介在が不要となるため、ケーブルの曲げ剛性が低く、ケーブル布設の作業性が良好となり、ケーブル端末でのコネクタ付けの際のかかる介在の除去も不要となる。さらに、製造工程を簡素化することができるとともに、ケーブルコストも低下させることができる。
【００５２】
この実施の形態においても、両サイドに配置される対撚線１１ａ，１１ｄを対間クロストークの発生のおそれがない距離だけ離間させることが可能であれば、これらの対撚線１１ａ，１１ｄは同一撚りピッチとしてもよい。
【００５３】
図８は、本発明の第８の実施の形態に係る通信ケーブルを示す断面図であり、図８において、図７と同一の構成には同一の符号を付してその説明を省略する。
【００５４】
図８に示すように、本実施形態の通信ケーブル８０においては、第１のユニット１２と第２のユニット１３とが上下方向に配置され、シース５１とシース５２とは、その対向部同士が接着剤あるいは融着等によって接着されて一体化されている。図中、８１は、そのような接着部を示す。
【００５５】
このように構成される通信ケーブル８０においては、前述した第７の実施の形態における効果に加え、一方のユニット１２（１３）と他方のユニット１３（１２）が重なりあっており、4本の対撚線１１ａ，１１ｂ，１１ｃ，１１ｄが従来の丸型タイプの通信ケーブルに近似した配置構造をとるため、従来の丸型タイプの通信ケーブルと同一のコネクタを取り付けることができる。
【００５６】
なお、第７および第８の実施の形態においても、第２の実施形態等におけるような突起２１，２１，…を適宜設けてもよい。
【００５７】
本発明は以上説明した実施の形態に限定されるものではなく、本発明の趣旨を逸脱しない範囲で適宜変更することができることはいうまでもない。例えば、以上説明した実施の形態は、いずれも4本の対撚線を備えた通信ケーブルの例であるが、対撚線の数は６本あるいはそれ以上であってもよい。
【００５８】
【発明の効果】
以上説明したように、本発明によれば、ケーブルが幅方向（横方向）に曲げられた場合であっても、対撚線が山越えを起こして接近することがなく、対間クロストークの発生を防止することができる。また、従来必要とされていた十字状のスペーサ型介在が不要となるため、ケーブルの曲げ剛性が低く、ケーブル布設の作業性は良好で、また、ケーブル端末でのコネクタ付けの際にもかかる介在の除去が不要となり、さらに、製造工程が簡素化されるとともに、ケーブルコストも低下させることができる。
【図面の簡単な説明】
【図１】本発明の第１の実施の形態に係る通信ケーブルを示す断面図。
【図２】本発明の第２の実施の形態に係る通信ケーブルを示す断面図。
【図３】本発明の第３の実施の形態に係る通信ケーブルを示す断面図。
【図４】本発明の第４の実施の形態に係る通信ケーブルを示す断面図。
【図５】本発明の第５の実施の形態に係る通信ケーブルを示す断面図。
【図６】本発明の第６の実施の形態に係る通信ケーブルを示す断面図。
【図７】本発明の第７の実施の形態に係る通信ケーブルを示す断面図。
【図８】本発明の第８の実施の形態に係る通信ケーブルを示す断面図。
【図９】従来の高速ＬＡＮ用ケーブルの一例を示す断面図。
【図１０】従来の高速ＬＡＮ用ケーブルの他の例を示す断面図。
【図１１】図１０に示す高速ＬＡＮ用ケーブルの斜視図。
【図１２】図１０に示す高速ＬＡＮ用ケーブルが幅方向（横方向）に曲げられたときに起きる対撚線の山越えの状態を示す断面図。
【符号の説明】
１０，２０，３０，４０，５０，６０，７０，８０………通信ケーブル
１１ａ，１１ｂ，１１ｃ，１１ｄ………対撚線
１２………第１のユニット
１３………第２のユニット
１４，５１，５２………シース
１５………仕切り壁
２１………突起
３１………溝
５３………連結部
７１，８１………接着部
【図１】
2004192951.tif 000003
【図２】
2004192951.tif 000004
【図３】
2004192951.tif 000005
【図４】
2004192951.tif 000006
【図５】
2004192951.tif 000007
【図６】
2004192951.tif 000008
【図７】
2004192951.tif 000009
【図８】
2004192951.tif 000010
【図９】
2004192951.tif 000011
【図１０】
2004192951.tif 000012
【図１１】
2004192951.tif 000013
【図１２】
2004192951.tif 000014